(57)【要約】【課題】  リモートで節電状態に遷移させた画像形成装置の電源オフ状態がユーザからのローカル指示でオン状態へ遷移した状態のまま放置されてしまうことを制限する。【解決手段】    サーバ装置と通信する通信手段と、電源の状態をオフ状態からオン状態へ遷移させるオン指示と、オン状態からオフ状態へ遷移させるオフ指示のいずれかを指示する指示手段と、を備える画像形成装置において、サーバ装置から電源状態をオン状態からオフ状態へ移行させるリモートオフ指示を受け付けることに応じて、電源の状態をオン状態からオフ状態に遷移させた後、指示手段を用いて電源の状態をオフ状態からオン状態へ遷移させるオン指示をローカルで受け付けた場合、オフ状態を維持すべき設定が有効かどうかを判断する。そして、オフ状態を維持すべき設定が有効であると判断した場合、ローカルで受け付けた指示手段に対するオン指示を無効とするオフ指示を前記指示手段に指示する構成を特徴とする。【選択図】  図８
2014225822.tif 000002
【特許請求の範囲】
【請求項１】
外部装置と通信可能な画像形成装置であって、
前記画像形成装置を起動するためにユーザが操作する指示手段と、
前記外部装置から前記画像形成装置の電源の状態をオフ状態へ移行させるリモートオフ指示を受け付ける受付手段と、
前記リモートオフ指示を受け付けることに応じて、前記画像形成装置の電源の状態をオフ状態に遷移させた後、前記指示手段がユーザに操作されて前記画像形成装置が起動された場合、前記指示手段を用いて前記画像形成装置を起動するのが制限されていることを示す情報を表示する表示手段と、
を備えることを特徴とする画像形成装置。
【請求項２】
リモートオフ指示を有効とする電源管理情報を記憶する記憶手段と、
前記電源管理情報を参照して、前記オフ状態を維持すべき設定が有効かどうかを判断する判断手段と、を備えることを特徴とする請求項１記載の画像形成装置。
【請求項３】
前記リモートオフ指示には、前記オフ状態を維持すべき時間帯が指定されていることを特徴とする請求項１または２記載の画像形成装置。
【請求項４】
前記リモートオフ指示は、分割して管理されるエリアに対応付けられたグループ内の画像形成装置に対してそれぞれ指示されることを特徴とする請求項１乃至３のいずれか１項に記載の画像形成装置。
【請求項５】
前記リモートオフ指示は、分割して管理されるエリアに対応付けられた画像形成装置毎に対して指示されることを特徴とする請求項１乃至３のいずれか１項に記載の画像形成装置。
【請求項６】
前記画像形成装置は、単一機能を行う画像形成装置、複合機能を行う画像形成装置を含むことを特徴とする請求項１乃至５のいずれか一項に記載の画像形成装置。
【請求項７】
外部装置と通信可能な画像形成装置の制御方法であって、
前記画像形成装置を起動するためにユーザが操作する指示工程と、
前記外部装置から前記画像形成装置の電源の状態をオフ状態へ移行させるリモートオフ指示を受け付ける受付工程と、
前記リモートオフ指示を受け付けることに応じて、前記画像形成装置の電源の状態をオフ状態に遷移させた後、前記指示工程がユーザに操作されて前記画像形成装置が起動された場合、前記指示工程を用いて前記画像形成装置を起動するのが制限されていることを示す情報を表示する表示工程と、
を備えることを特徴とする画像形成装置の制御方法。
【請求項８】
リモートオフ指示を有効とする電源管理情報を記憶する記憶手段を備え、
前記電源管理情報を参照して、前記オフ状態を維持すべき設定が有効かどうかを判断する判断工程を備えることを特徴とする請求項７記載の画像形成装置の制御方法。
【請求項９】
請求項７または８に記載の画像形成装置の制御方法をコンピュータに実行させることを特徴とするプログラム。
【発明の詳細な説明】
【技術分野】
【０００１】
本発明は、画像形成装置、画像形成装置の制御方法、及びプログラムに関するものである。
【背景技術】
【０００２】
近年、複数の画像形成装置をネットワークに接続し、コンピュータから遠隔操作で画像形成装置の電源を制御する技術／サービスが知られている。特に、そのような技術が要求されてきた背景としては、以下、大きく二つの要因がある。
【０００３】
一つは、共有している画像形成装置は、停電時にシャットダウンをされていないことが多く、よくある運用として最終利用者がシャットダウンするように張り紙等で通達しているが、人手に委ねられるため作業が徹底されない等の問題がある。そのため、法定停電時の事故を無くすためにＭＦＰをリモートでシャットダウンしたいという要望、市場からの声が高まっている。
【０００４】
もう一つは、消費電力の見える化やＣＯ２、消耗品の上限管理等をシステム制御するＭＤＳ（Ｍａｎａｇｅｄ  Ｄｅｖｉｃｅ  Ｓｅｒｖｉｃｅ）といったサービスに、リモートでの電源制御を適用するためである。特に、オフィス（フロア）内のネットワーク機器群をエリア毎に整備し、エリア単位で装置の電源制御を可能にするために、遠隔制御でオフ／オン出来る機構が切望されている。ユーザ個々の電力削減要求に対応するため、ｘｘ時〜ｙｙ時、又は終夜期間、指定エリアの機器使用は強制禁止といった電力削減管理システムである。
【０００５】
このような市場の要求、要望に対応すべく先行技術が提案されている。
本例に示される画像形成装置では、ＰＣ（Ｐｅｒｓｏｎａｌ  Ｃｏｍｐｕｔｅｒ）等の外部装置から電源遮断命令を受信する通信部と、受信信号が遮断命令であるか否かを解析するデータ解析部と、解析部の結果に基づき電源を遮断可能な電源制御部とを設ける。これにより、所望な技術／サービスを提供、実現できる内容である（
【特許文献１】参照）。
【先行技術文献】
【特許文献】
【０００６】
【特許文献１】特開２００９−２０８３９９号公報
【発明の概要】
【発明が解決しようとする課題】
【０００７】
しかしながら、特許文献１では、画像形成装置のリモートによる電源オフ後の手動による電源オンのケースへの対処には言及していない。
例えば、遠隔制御を行う管理者（ユーザ）がネットワークに接続されている画像形成装置をリモートによって電源オフした後、画像形成装置の近くにいるユーザ（利用者）によって手動で電源オンされるケースが想定される。その場合、利用後に電源オン状態で放置、又は引き続き大量のジョブ処理を行っていたりすると、法定停電による電源断により、画像形成装置の電源をオフにする準備をしないまま画像形成装置の電源がオフになってしまう。
【０００８】
また、ユーザ（管理者）が消費電力を詳細に管理する、例えば、フロア（エリア）の総電力使用量を日量単位で管理しているユースケースがある。その場合、ユーザ（利用者）の電源手動オン、その後の手動オフ忘れ、大量のジョブ入稿、ジョブ投入による想定外、且つ、膨大な電力消費が発生してしまう。その結果、リモート電源制御の基本概念である、リモート電源オフ発行時間以降のローカル利用禁止、を守れない状況に陥るケースが発生する。
【０００９】
本発明は、上記の課題を解決するためになされたもので、本発明の目的は、リモートで節電状態に遷移させた画像形成装置の電源オフ状態がユーザからのローカル指示でオン状態へ遷移した状態のまま放置されてしまうことを制限できる仕組みを提供することである。
【課題を解決するための手段】
【００１０】
上記目的を達成する本発明の画像形成装置は以下に示す構成を備える。
外部装置と通信可能な画像形成装置であって、前記画像形成装置を起動するためにユーザが操作する指示手段と、前記外部装置から前記画像形成装置の電源の状態をオフ状態へ移行させるリモートオフ指示を受け付ける受付手段と、前記リモートオフ指示を受け付けることに応じて、前記画像形成装置の電源の状態をオフ状態に遷移させた後、前記指示手段がユーザに操作されて前記画像形成装置が起動された場合、前記指示手段を用いて前記画像形成装置を起動するのが制限されていることを示す情報を表示する表示手段と、を備えることを特徴とする。
【発明の効果】
【００１１】
本発明によれば、リモートで節電状態に遷移させた画像形成装置の電源オフ状態がユーザからのローカル指示でオン状態へ遷移した状態のまま放置されてしまうことを制限できる。
【図面の簡単な説明】
【００１２】
【図１】画像形成装置を適応する遠隔制御システムの一例を示した図である。
【図２】図１に示した画像形成装置の構成を示すブロック図である。
【図３】図１に示した遠隔制御管理サーバの構成を示すブロック図である。
【図４】図１に示した画像形成装置の電源制御の構成を示すブロック図である。
【図５】遠隔制御管理サーバに表示されるＵＩ画面の一例を示す図である。
【図６】画像形成装置で表示されるＵＩ画面の一例を示す図である。
【図７】画像形成装置の制御方法を説明するフローチャートである。
【図８】画像形成装置の制御方法を説明するフローチャートである。
【発明を実施するための形態】
【００１３】
次に本発明を実施するための最良の形態について図面を参照して説明する。
＜システム構成の説明＞
〔第１実施形態〕
【００１４】
図１は、本実施形態を示す画像形成装置を適応する遠隔制御システムの一例を示した図である。本例では、外部装置と通信可能な遠隔制御システムの一例として複写機、複合機、プリンタなどの画像形成装置１０３，１０４，１０５を備える。本実施形態では、画像形成装置があるオフィス内で三つのエリアに分かれている。画像形成装置１０３を代表としてグルーピングされたＡｒｅａ  Ａ、画像形成装置１０４を代表としてグルーピングされたＡｒｅａ  Ｂ、画像形成装置１０５を代表としてグルーピングされたＡｒｅａ  Ｃで構成されている。なお、本システムにおける画像形成装置は、単一機能を行う画像形成装置、いわゆる印刷装置、複合機能を行う画像形成装置、いわゆるＭＦＰ（Ｍｕｌｔｉ  Ｆｕｎｃｔｉｏｎ  Ｐｒｉｎｔｅｒ）が含まれる。
【００１５】
また、ネットワークシステムを構成する各機器間の情報伝達手段は、有線通信手段を一例として図に示している。この場合、イーサネット（登録商標）１０６を介して、直接接続あるいは中継接続により各画像形成装置は遠隔制御管理サーバ１０１とＰＣ１０２、Ｎｏｔｅ  ＰＣ１０８との相互の情報伝達が行われる。このような情報伝達手段であるが、有線に限らず、いずれの手段においても情報伝達できれば無線接続により接続されていてもよい。
【００１６】
画像形成装置１０３，１０４，１０５を含むＡｒｅａＡ〜ＡｒｅａＣは、遠隔制御管理サーバ（サーバ）１０１から電源オフ／オン制御の命令を受信する。このように、遠隔制御管理サーバ１０１がネットワークに繋がる全ての画像形成装置の電源制御を一斉管理するシステムであってもよい。ここで、一斉管理される場合とは、リモートオフ指示は、分割して管理されるエリアに対応付けられたグループ内の画像形成装置に対してそれぞれ指示される。また、ローカルのＰＣ１０２、Ｎｏｔｅ  ＰＣ１０８から個別に画像形成装置１０３，１０４，１０５やＡｒｅａＡ〜ＡｒｅａＣの電源制御を実施できる構成であってもよい。つまり、リモートオフ指示が分割して管理されるエリアに対応付けられた画像形成装置毎に対して指示される構成であってもよい。１０７はＬＣＤ表示装置で、サーバ１０１に接続されて使用される。
【００１７】
図２は、図１に示した画像形成装置１０３の構成を示すブロック図である。本発明の遠隔制御システムにおいて遠隔制御の主体的役割を担う画像形成装置１０３におけるデジタルデータ処理を行うコントローラユニット１２００の構成を示す例である。
【００１８】
図２において、コントローラユニット１２００は、画像読取デバイスであるスキャナ１０や画像出力デバイスであるプリンタ２０と接続される。一方ではＬＡＮに接続することで、遠隔制御管理サーバ１０１、ＰＣ１０２、その他図示しない外部機器との間で画像情報や通信制御に関わる情報の入出力を行う為のコントローラである。
【００１９】
ＣＰＵ１２０１は、システム全体を制御するコントローラである。ＲＡＭ１２０２は、ＣＰＵ１２０２が動作するためのシステムワークメモリであり、画像データを一時記憶するための画像メモリでもある。ＲＯＭ１２０３は、ブートＲＯＭであり、システムのブートプログラムが格納されている。ＨＤＤ１２０４は、ハードディスクドライブであって、システムソフトウェア、画像データ、ソフトウェアカウンタ値などを格納する。ソフトウェアカウンタ値は、画像出力枚数をカウントアップされた値が格納される。カウンタ値はＨＤＤ１２０４に限らず電源が切れても記憶保持することができれば、図示しない不揮発性メモリや電池バックアップ機能のメモリ等にその記憶領域を持ってもよい。
【００２０】
操作部Ｉ／Ｆ１２０６は、操作部（ＵＩ）１４０とのインタフェース部で、操作部１４０に表示する画像データを操作部１４０に対して出力する。また、操作部１４０から使用者が入力した情報を、ＣＰＵ１２０１に伝える役割をする。
【００２１】
ＮｅｔｗｏｒｋＩ／Ｆ１２１０は、ＬＡＮ１０６に接続し、出力用画像に関わる各種データの入出力や機器制御にかかわる情報の入出力を行う。また、本実施形態では、サーバ装置（遠隔制御管理サーバ１０１）から前記電源状態をオン状態からオフ状態へ移行させるリモートオフ指示を受付ける。また、ＮｅｔｗｏｒｋＩ／Ｆ１２１０は、サーバ装置と通信する通信手段として使用される。
操作部１４０における入力操作によってネットワーク上のＰＣ１０２や図示しない外部の出力用画像データを管理する装置から操作部１４０による入力操作に応じて出力用画像データを受信して画像出力を行うことが可能である。
【００２２】
また、本実施形態ではＥＥＰＲＯＭ１２０９、及びタイマＩＣ１２１１が接続されている。ＥＥＰＲＯＭ１２０９は、ＰＣ１０２等の外部機器からのリモートオフ／オン仕様の詳細データの記憶装置として、タイマＩＣ１２１１は一定時間周期に割り込みを発するタイマとして機能する。また、電源制御部（ＰＬＤ：プログラマブル・ロジック・デバイス）１２１２は、プログラム可能な集積回路デバイスで構成され、各デバイス間のＩ／Ｆ、ＩＯ信号の生成、電源、リセットシーケンスなどを司るものである。本実施形態では、遠隔制御管理サーバ（サーバ）１０１から受信する電源遮断命令に従い、リモートで画像形成装置１０３の電源の給電を切断する。その後、当該画像形成装置１０３が設置される居室にユーザが入出して、画像形成装置１０３の電源をローカルで再開するような要求がなされた場合、上記電源制御部１２１２が設定したフラグが電源を切る状態を示していると判断した場合、当該ユーザによる電源入力要求を制限する制御を行う。ここで、上記フラグはリモートオフさせる設定が有効かどうかを判断する電源管理情報に対応する。
スキャナ、プリンタ通信Ｉ／Ｆ１２０８は、スキャナ１０、プリンタ２０のＣＰＵとそれぞれ通信を行うためのＩ／Ｆである。以上のデバイスがシステムバス１２０７上に配置される。
【００２３】
Ｉｍａｇｅ  Ｂｕｓ  Ｉ／Ｆ１２０５は、システムバス１２０７と画像データを高速で転送する画像バス２００８を接続し、データ構造を変換するバスブリッジである。画像バス２００８上には以下のデバイスが配置される。
【００２４】
ラスターイメージプロセッサ（ＲＩＰ）１２６０は、ＰＤＬコードをビットマップイメージに展開する。デバイスＩ／Ｆ部１２２０は、画像入出力デバイスであるスキャナ１０やプリンタ２０とコントローラ３０を接続し、画像データの同期系／非同期系の変換を行う。スキャナ画像処理部１２８０は、入力画像データに対し補正、加工、編集を行う。プリンタ画像処理部１２９０は、プリント出力画像データに対して、プリンタの補正、解像度変換等を行う。画像回転部１２３０は画像データの回転を行う。画像圧縮部１２４０は、多値画像データはＪＰＥＧ、２値画像データはＪＢＩＧ、ＭＭＲ、ＭＨの圧縮伸張処理を行う。
【００２５】
また、画像形成装置１０３は省電力化のためのスリープモードを備えている。ＣＰＵ１２０１がこのスリープモードへの動作モード移行制御を行う。つまり、ＣＰＵ１２０１が画像形成装置の稼動状況を判断して、プリンタ２０，スキャナ１０、操作部１４０などの部分に対する電力供給を独立に遮断・供給を制御することが可能となっている。
【００２６】
例えば、スキャナ機能のみ使用する場合はプリンタ２０部やプリンタ画像処理部１２９０への電力供給を遮断する。一方、プリンタ機能のみ使用する場合に操作部１４０とスキャナ１０部やスキャナ画像処理部１２８０など必要ない箇所への電力供給を遮断することで消費電力を削減する為の仕組みを備えている。
【００２７】
図３は、図１に示した遠隔制御管理サーバ１０１の構成を示すブロック図である。遠隔制御管理サーバ１０１は、本発明の遠隔制御システムにおける遠隔制御の管理と実行を行う為に以下に示す構成を備える。
【００２８】
図３において、ＣＰＵ１３０１は、制御プログラムを実行して装置全体の制御を行う。ＲＡＭ１３０２は、ＣＰＵ１３０２が動作するためのシステムワークメモリである。ＲＯＭ１３０３は、ブートＲＯＭであり、システムのブートプログラムが格納されている。ＨＤＤ１３０４は、ハードディスクドライブであって、システムソフトウェア、ユーザ情報などを格納する。Ｎｅｔｗｏｒｋ１３０８はＬＡＮ接続ＩＦであって外部機器と有線ＬＡＮにて接続する為のインタフェースである。
【００２９】
ディスプレイＩＦ１３０７は、ディスプレイ１０７との通信を行う為のインタフェースである。遠隔制御管理サーバ１０１を利用するユーザはディスプレイ１０７上で、遠隔制御する機器の管理や電源制御の実行状況を確認できる。ＩＯ１３０５はキーボードやマウスなど周辺デバイス１３０６との情報を入出力するインタフェースである。本発明の遠隔制御システムにおける電源オフ／オンの設定など各種設定指示はこの周辺デバイス１３０６にて入力を受け付け可能となっている。
【００３０】
以上、遠隔制御管理サーバ１０１の構成であるが、汎用コンピュータとしての構成を基本にしていている。しかし、本発明の遠隔制御システムにおける遠隔制御の管理や対象エリア、電源オフ時間などの設定入力指示の受け付け可能であれば、この構成に限定されるものではない。図２に示した本発明の遠隔制御システムを構成する画像形成装置の一つがその役割を担ってもよい。
【００３１】
図４は、図１に示した画像形成装置１０３の電源制御の構成を示すブロック図である。本例は、本実施形態の特徴的な構成に対応する電源スイッチ１４０１、電源制御部１２１２、ＮｅｔｗｏｒｋＩ／Ｆ１２１０、ＣＰＵ１２０１、操作部１４０の主に電源系統、制御信号の関係を表している。
【００３２】
図４において、電源制御部１２１２、ＮｅｔｗｏｒｋＩ／Ｆ１２１０は第１電源（常夜電源）１４０２、ＰＣＩ等のシステムバス１２０７に接続されており、電源制御部１２１２は電源スイッチ１４０１、メカリレー、ＦＥＴなどのスイッチ制御を行う。ＮｅｔｗｏｒｋＩ／Ｆ１２１０は、上述した機能の他に、ＬＡＮ１０６からのパケットデータを解析して、ＣＰＵ１２０１に制御を引き渡す（スリープ中に起床させる）ために、第２電源（非常夜電源）１４０３を起動させる代理応答機能を有するサブＣＰＵの役目を担う。
【００３３】
また、１４０６はステータス信号（ＳＥＥＳＡＷ）で、電源スイッチ１４０１のシーソースイッチの状態を示す。１４０７はオン／オフの実行信号（ＳＨＵＴ＿ＯＮ／ＯＦＦ）で、電源スイッチ１４０１のオン／オフの実行信号である。
【００３４】
また、常夜デバイス１４０４は、例えばＲＡＭ１２０２など常夜系のその他デバイスが含まれる。非常夜デバイス１４０５は、例えばＲＯＭ１２０３など非常夜系のその他デバイスである。更に、１４０８はリレー制御信号（ＲＥＬＡＹ＿ＯＮ／ＯＦＦ）である。１４０９は非常夜電源制御信号（ＳＹＳ＿ＯＮ／ＯＦＦ）である。１４１０は（ＤＥＶ＿ＯＮ／ＯＦＦ）である。１４１１はクイック起動制御信号（ＱＵＩＣＫ＿ＯＮ／ＯＦＦ）である。
【００３５】
図５は、図１に示した遠隔制御管理サーバ１０１のディスプレイ１０７に表示されるＵＩ画面の一例を示す図である。本例は、あるオフィスのエリア単位での遠隔制御詳細条件を設定する画面の一例である。
【００３６】
図５において、詳細設定画面１５０１では、オフィス内のエリアを、例えばＡｒｅａ  Ａ  〜  Ａｒｅａ  Ｃに分割してエリア単位に電源オフ／オンの制御を行っている。それぞれのエリアでオフ／オン時間を設定してブロードキャストで該設定内容を各機器に送信する。また、Ａｒｅａ．  Ｂはオフ／オン時間が設定されていないため、本実施形においては遠隔制御されないエリアとなる。
【００３７】
図６は、図１に示した画像形成装置１０３で表示されるＵＩ画面の一例を示す図である。本例は、リモート電源オン時に電源オフの条件によって起動禁止と判断された場合の画像形成装置１０３の操作部１４０のＬＣＤ表示部に表示されるメッセージ表示例である。本例では、ローカル指示が無効である旨のメッセージを用いて表示することにより、ユーザにローカル指示では電源を入れることができないことを確認させる例である。
本実施形態では、画像形成装置１０３は、この例のように表示した後に自動で電源スイッチのシーソーをオフ側に倒す動作を行う。ローカル指示が無効である旨のメッセージを表示する
【００３８】
図７は、本実施形態を示す画像形成装置の制御方法を説明するフローチャートである。
本例は、本発明の遠隔制御システムにおける画像形成装置１０３と遠隔制御管理サーバ１０１、ＰＣ１０２の処理例である。なお、各ステップは、画像形成装置１０３のＣＰＵ１２０１が制御プログラムを実行することで実現される。以下、遠隔制御管理サーバ１０１からリモートオフ指示を受け付けることに応じて、電源の状態をオン状態からオフ状態に遷移させた後、電源スイッチ１４０１を用いて電源の状態をオフ状態からオン状態へ遷移させるオン指示をローカルで受け付けた場合、電源制御部１２１２がオフ状態を維持すべき設定が有効かどうかを判断する処理を説明する。そして、電源制御部１２１２がオフ状態を維持すべき設定が有効であると判断した場合、ローカルで受け付けた前記指示手段に対するオン指示を無効とするオフ指示を電源スイッチ１４０１に指示する例を説明する。
【００３９】
なお、電源リモートオフ以降の同ローカルオン禁止を有効にするか否かが設定されている。本実施形態では、当該設定は、画像形成装置１０３の操作部１４０から直接入力、又は遠隔制御管理サーバ１０１、又はＰＣ１０２からリモート設定する方法などがある。
まず、Ｓ１７０１で、ＣＰＵ１２０１は、リモートオフのプライオリティ設定が有効であるかどうかを後述するフラグに基づいて判断する。ここで、リモートオフのプライオリティ設定が有効であるとＣＰＵ１２０１が判断した場合は、ＣＰＵ１２０１は、電源制御部１２１２の図示しない内部レジスタにリモートオフのプライオリティを示すフラグが有効として記憶される。
一方、Ｓ１７０１で、リモートオフのプライオリティ設定が無効であるとＣＰＵ１２０１が判断した場合、電源制御部１２１２の図示しない内部レジスタにはデフォルトのまま何も設定されず、本実施形態のフローは行われずに、通常動作を行う（Ｓ１７０２）。
【００４０】
次に、遠隔制御管理サーバ１０１から画像処理装置１０３を含むＡｒｅａ  Ａのエリアに対して、リモートによる電源オフ命令が実行される。画像処理装置１０３では、ＣＰＵ１２０１がＬＡＮ１０６を介してＮｅｔｗｏｒｋＩ／Ｆ１２１０へ電源オフ命令に対応する"電源オフ"パケット情報が通知されているかどうかを判断する（Ｓ１７０３）。ここで、リモートによる電源オフが通知されていないとＣＰＵ１２０１が判断した場合、要するに手動による電源オフ処理を行い（Ｓ１７０４）、本処理を終了する。
一方、Ｓ１７０３で、リモートによる電源オフ命令が通知されているとＣＰＵ１２０１が判断した場合、"電源オフ"情報が時間設定されている場合は、ＮｅｔｗｏｒｋＩ／Ｆ１２１０は、タイマＩＣ１２１１に指定された電源オフ時間をセットする（Ｓ１７０５）。
【００４１】
具体的には、直ちに"電源オフ"の場合、画像処理装置１０３がスリープ中（非常夜電源オフ時）であれば、電源制御部１２１２へシステムバス１２０７を介して電源オフ命令を通知する。電源制御部１２１２は、"リモート電源オフ"のフラグを図示しない内部レジスタにセットし（Ｓ１７０５）、ＳＨＵＴ＿ＯＮ／ＯＦＦ１４０７及び、ＲＥＬＡＹ＿ＯＮ／ＯＦＦ１４０８をオフ制御して、電源スイッチ１４０１とメカリレーを切断する。
一方、画像処理装置１０３がスリープ中でない（スタンバイ、プリント中など）場合は、"電源オフ"情報はＮｅｔｗｏｒｋＩ／Ｆ１２１０からＣＰＵ１２０１へ通知される。ＣＰＵ１２０１はシステム動作を終了させて、終了シーケンス（非常夜デバイス１４０５のシャットダウンなど）を実行する。
次に、電源制御部１２１２がＤＥＶ＿ＯＮ／ＯＦＦ１４１０、ＳＹＳ＿ＯＮ／ＯＦＦ１４０９をオフ制御する。その後のフローは、上述した画像処理装置１０３がスリープ中の時の内容と同様である。
【００４２】
次に、Ｓ１７０６において、電源オフ状態の画像処理装置１０３に電源が投入されたかどうかを判断する。ここで、リモートによる電源オン指令であると判断した場合、通常通りに電源がオンされる（Ｓ１７０７）。
一方、画像形成装置の電源スイッチ１４０１をオン側に倒す（ローカル電源オン）場合は、以下のフローとなる。
【００４３】
電源スイッチ１４０１のシーソートリガにより、電源制御部１２１２は、ＳＥＥＳＡＷ１４０２信号のセンス信号から「手動電源投入」を認識する。また、ＳＥＥＳＡＷ信号１４０２が入ったことから、ＲＥＬＡＹ＿ＯＮ／ＯＦＦ１４０８、ＳＹＳ＿ＯＮ／ＯＦＦ１４０９をオンすることで接続されるリレーをオン状態に遷移させ、システムの初期化を実行する。電源制御部１２１２は、ＤＥＶ＿ＯＮ／ＯＦＦ１４１０を、この時点ではオン制御せず、その他の非常夜デバイス１４０５は非通電のままである。
【００４４】
次に、電源制御部１２１２は、内部レジスタにセットされている"リモートオフ後のローカルオン禁止"、及び"リモート電源オフ"フラグにより、ローカル電源オン禁止指示をシステムバス１２０７経由でＣＰＵ１２０１へ通知する。ＣＰＵ１２０１は、操作部１４０のＵＩ表示部に、図６に一例で示したＵＩ画面を用いてメッセージを表示するように、操作部Ｉ／Ｆ１２０６へビデオデータを送出する（Ｓ１７０８）。この表示を確認したユーザは、電源スイッチ１４０１をオン状態にしたとしても、画像形成装置１０３を画像形成可能な状態に遷移させることが制限されている旨を確認し、その対処方法も同時に確認できる。
【００４５】
その後、ＣＰＵ１２０１は、システムの終了シーケンスを走らせ、電源制御部１２１２に対して電源オフの命令を通知する。電源制御部１２１２はＳＹＳ＿ＯＮ／ＯＦＦ１４０９、ＲＥＬＡＹ＿ＯＮ／ＯＦＦ１４０８、ＳＨＵＴ＿ＯＮ／ＯＦＦ１４０７をオフ制御し、電源スイッチ１４０１をオフ側に倒し（Ｓ１７０９）、本フローを終了する。
【００４６】
〔第２実施形態〕
図８は、本実施形態を示す画像形成装置の制御方法を説明するフローチャートである。
本例は、本発明の遠隔制御システムにおける画像形成装置１０３と遠隔制御管理サーバ１０１、ＰＣ１０２の処理例である。なお、各ステップは、画像形成装置１０３のＣＰＵ１２０１が制御プログラムを実行して電源制御部１２１が動作することで実現される。本例は、リモートオフ指示に、前記オフ状態を維持すべき時間帯が指定可能な場合の制御例である。
【００４７】
まず、図７と同様に、遠隔制御管理サーバ１０１、ＰＣ１０２を用いて、電源リモートオフ以降の同ローカルオン禁止を有効にするか否かを設定する。
まず、Ｓ１８０１で、ＣＰＵ１２０１は、リモートオフのプライオリティ設定が有効であるかどうかを判断する。ここで、リモートオフのプライオリティ設定が有効であるとＣＰＵ４０１が判断した場合は、ＣＰＵ１２０１は、電源制御部１２１２の図示しない内部レジスタにリモートオフのプライオリティが設定される。
一方、Ｓ１８０１で、リモートオフのプライオリティ設定が無効であるとＣＰＵ１２０１が判断した場合、電源制御部１２１２の図示しない内部レジスタにはデフォルトのまま何も設定されず、本実施形態のフローは行われずに、通常動作を行う（Ｓ１８０２）。
【００４８】
次に、遠隔制御管理サーバ１０１を利用するオフィス管理者は、図５に示すような各エリアの電源オフ／オン指定時刻、及びローカル電源オン禁止時間を設定する。設定されたエリア毎の電源オフ／オン時間、ローカル電源オン禁止時間の内容は、遠隔制御管理サーバ１０１のＲＡＭ１３０２に一時格納され、ＨＤＤ１３０４に記憶される。記憶された前期情報は、遠隔制御管理サーバ１０１のＣＰＵ１３０１によってＮｅｔｗｏｒｋＩ／Ｆ１３０８を介され、ネットワーク１０６に繋がる全ての画像形成装置に送信される。
【００４９】
これにより、図１に示した画像形成装置１０３も遠隔制御管理サーバ１０１によって送信された電源オフ／オン指定時刻、ローカル電源オン禁止時間の情報はＬＡＮ１０６を介して、ＮｅｔｗｏｒｋＩ／Ｆ１２１０によりＥＥＰＲＯＭ１２０９に書き込まれる（Ｓ１８０３）。以降Ｓ１８０４〜Ｓ１８０７までのフローは上述した第１実施形態に示したＳ１７０３〜Ｓ１７０６と同じである。
そして、Ｓ１８０７において、ユーザが画像形成装置の電源スイッチ１４０１をオン側に倒した場合は、以下のフローとなる。
【００５０】
上述したフローと同様に、電源スイッチ１４０１のシーソートリガにより、システムの初期化が実行され、画像形成装置１０３の電源制御部１２１２は、ローカル電源オン禁止指示をＣＰＵ１２０１へ通知する。その通知を受けたＣＰＵ１２０１は、ＥＥＰＲＯＭ１２０９に格納されているローカル電源オン禁止時間の情報をＮｅｔｗｏｒｋＩ／Ｆ１２１０経由で読み出し、現在の時刻が前記禁止時間内であるか否かを判断する（Ｓ１８０８）。
【００５１】
Ｓ１８０８において、現在の時刻が前記禁止時間内でないとＣＰＵ１２０１が判断した場合は、通常の電源オンシーケンスが起動する（Ｓ１８０９）。
一方、現在の時刻が前記禁止時間内であるとＣＰＵ１２０１が判断した場合、Ｓ１８１０以降の処理を実行し、最終的に電源スイッチ１４０１をオフにして（Ｓ１８１１）、本処理を終了する。
その際、ＣＰＵ１２０１は、操作部１４０のＵＩ表示部に、図６に示したＵＩ画面を用いてメッセージで表示するように、操作部Ｉ／Ｆ１２０６へビデオデータを送出する（Ｓ１７０８）。この表示を確認したユーザは、電源スイッチ１４０１をオン状態にしたとしても、画像形成装置１０３を画像形成可能な状態に遷移させることが制限されている旨を確認し、その対処方法も同時に確認できる。
以上、画像形成装置１０３と遠隔制御管理サーバ１０１、ＰＣ１０２間で送受信する電源オフ命令、装置での電源オン禁止等の情報を交えた連携動作を含めた動作フローについて説明した。上述したフローは、遠隔制御管理サーバ１０１が電源オフに関する設定、通知などのシステムを管理している例を示しているが、ＰＣ１０２単独でシステム管理を行うような構成であってもよい。
また、上記した電源オフ状態は、画像形成装置の電源が完全にＯＦＦになる場合だけでなく、サスペンド状態、ハイバネーション状態を含む。
【００５２】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００５３】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００５４】
１０１  沿革制御管理サーバ
１０２  ＰＣ
１０３〜１０５  画像形成装置
【図１】
2014225822.tif 000003
【図２】
2014225822.tif 000004
【図３】
2014225822.tif 000005
【図４】
2014225822.tif 000006
【図５】
2014225822.tif 000007
【図６】
2014225822.tif 000008
【図７】
2014225822.tif 000009
【図８】
2014225822.tif 000010